(57)【要約】【課題】  コストを低減させて、スッキリとした状態に電線，コードの処理が行えるキャビネット内の電線処理方法を提供する。【解決手段】  キャビネット１を構成する底板２，側板３に溝２ａ，３ａを形成し、この溝２ａ，３ａには緩衝部材５を取り付け、電線６，コードを溝２ａ，３ａに這わし、電線６，コードを緩衝部材５で挟み込んで溝２ａ，３ａ内に固定し、溝２ａ，３ａの曲がり部Ｃには前記緩衝部材５を設けないようにして、曲がり部Ｃ内に電線６，コードの捩れ部分を押し込み収納させる。【選択図】        図２
2005198912.tif 000002
【特許請求の範囲】
【請求項１】
キャビネット内面に、電線，コードを這わすための溝を形成し、該溝には緩衝部材を設けたことを特徴とするキャビネット。
【請求項２】
前記溝を、キャビネットを構成する板と板との当接する角部分に設けた請求項１に記載のキャビネット。
【請求項３】
前記溝を、キャビネットを構成する板と壁面との当接する角部分に設けた請求項１に記載のキャビネット。
【請求項４】
前記溝の曲がり部には前記緩衝部材を設けないように構成した請求項１または請求項２または請求項３に記載のキャビネット。
【請求項５】
キャビネット内面に溝を形成し、該溝には緩衝部材を設けておき、電線を前記溝に這わし、前記緩衝部材で挟み込んで溝内に固定することを特徴とするキャビネット内の電線処理方法。
【請求項６】
前記溝の曲がり部には前記緩衝部材を設けないようにして、該曲がり部内に電線の捩れ部分を押し込み収納させることを特徴とする請求項５に記載のキャビネット内の電線処理方法。
【発明の詳細な説明】
【技術分野】
【０００１】
本発明は、スッキリとした状態で電線を配設することのできるキャビネットおよびキャビネット内の電線処理方法に関するものである。
【背景技術】
【０００２】
従来、特許文献１に開示されているように、キャビネットの側板の内面に上下に穿設された溝内に、配線溝を有する埋込レールを嵌着し、埋込レールの配線溝内に電線コードを通し、配線溝の開口部を配線カバーで覆うようにして、電線コードを処理する構造が存在する。
【特許文献１】特開昭５９−２３０５０３号公報
【発明の開示】
【発明が解決しようとする課題】
【０００３】
上記従来のようなキャビネットの電線処理方法では、構成部材が多く、加工も面倒であり、コスト高となってしまうという問題点があった。
また、プラモール等で電線を隠すような方法を採用すると、プラモールの材質が塩化ビニールのため、環境問題が生じることとなる。
【課題を解決するための手段】
【０００４】
本発明は上記従来の問題点に鑑み案出したものであって、環境にも優しく、コストを低減させて、スッキリとした状態に電線を処理できるキャビネットおよびキャビネット内の電線処理方法を提供せんとするものであり、その請求項１は、キャビネット内面に、電線，コードを這わすための溝を形成し、該溝には緩衝部材を設けたことである。
また、請求項２は、前記溝を、キャビネットを構成する板と板との当接する角部分に設けたことである。
また、請求項３は、前記溝を、キャビネットを構成する板と壁面との当接する角部分に設けたことである。
また、請求項４は、前記溝の曲がり部には前記緩衝部材を設けないように構成したことである。
また、請求項５は、キャビネット内面に溝を形成し、該溝には緩衝部材を設けておき、電線を前記溝に這わし、前記緩衝部材で挟み込んで溝内に固定することである。
また、請求項６は、前記溝の曲がり部には前記緩衝部材を設けないようにして、該曲がり部内に電線の捩れ部分を押し込み収納させることである。
【発明の効果】
【０００５】
本発明は、キャビネット内面に溝を形成し、溝には緩衝部材を設けておき、電線を溝に這わし、緩衝部材で挟み込んで溝内に固定することとしたため、キャビネットを構成する底板，側板等には溝を形成させるのみであり、加工コストを抑えることができ、また、構成部材も緩衝部材のみで良く、良好に緩衝部材で挟み込んで溝内に固定して、スッキリとした状態にコストを低減させて電線を処理することができ、キャビネット内の空間には電線が露出せず、キャビネット内を広く利用することができるものとなる。
【０００６】
また、溝の曲がり部には緩衝部材を設けないようにして、曲がり部内に電線の捩れ部分を押し込み収納させることとしたため、電線の捩れ部を曲がり部内に隠すことができ、スッキリとした状態に電線を処理することができるものとなる。
【実施例】
【０００７】
以下、本発明の実施例を図面に基づいて説明する。
図１は、背板なしのアッパーキャビネットを、トイレ室の壁面に設置する際の斜視構成図である。
キャビネット１は、底板２と、左右の側板３，３と、天板１ａが前面開放の箱状に組み立てられ、前面に左右の扉Ｔ，Ｔが設けられて構成されており、背板は存在せず、底板２と左右の側板３，３と天板１ａの後端面を、トイレ室の壁面４に当接させて設置されるものである。
このキャビネット１の底板２の下面には、照明器Ｒが設けられ、照明器Ｒに電源を供給するために、電線６が、上方の壁面４のコンセントに差し込まれた電源プラグＰからキャビネット１内に引き込まれている。
【０００８】
このキャビネット１の底板２及び側板３の後端面の内側の壁面４と当接する角部分には、図２に要部を拡大して示すように、予めＬ字状に切り欠いて溝２ａ，３ａをそれぞれ形成させておく。
さらに、底板２の溝２ａ及び側板３の溝３ａ内には、緩衝部材５を取り付けておく。即ち、緩衝部材５を貼着等により溝２ａ及び３ａに取り付けておく。
なお、この緩衝部材５は、例えばウレタン発泡系，アクリル発泡系，シリコン等の素材で形成されたものである。
【０００９】
例えば、図３の底板２側の断面図で示すように、溝２ａに緩衝部材５を取り付けた状態では、底板２の後端面と緩衝部材５の後端面間に隙間Ｓが形成されるように構成しておき、壁面４に底板２の後端面を当接させて設置し、この隙間Ｓ内に、内側より電線６を捩れないように挟み込ませて、図４に示すように、壁面４と緩衝部材５間に電線６を挟み込んで固定することができるものである。
即ち、溝２ａに沿って電線６を這わして、順次、電線６を隙間Ｓ内に押し込んで溝２ａ内に固定することができるものである。
【００１０】
なお、図５は、先ず、キャビネットの底板２の溝２ａ内に電線６を嵌め込んで固定させてゆく作業説明図である。
次に、電線６を捩れないようにして側板３の溝３ａに這わせて、順次、図６に示すように、側板３の溝３ａの隙間Ｓ内に電線６を押し込んで、緩衝部材５と壁面４間に挟み込ませて電線６を固定させてゆくことができる。
その場合、例えば断面が楕円形の電線６のような場合等において、底板２から側板３に９０°折れ曲げ状にして配線すると、どうしても電線に捩れ部６ａが形成されてしまうため、この捩れ部６ａを、図７に示すように、底板２と側板３の溝２ａ，３ａの曲がり部Ｃにもっていき、捩れ部６ａを曲がり部Ｃ内に押し込んで隠すことができるものである。
【００１１】
なお、この曲がり部Ｃには緩衝部材５を入れずに、曲がり部Ｃの部分では溝２ａ，３ａに直接捩れ部６ａを押し込んで、良好に捩れ部６ａを曲がり部Ｃ内に収納させて、スッキリとした状態で電線６を配線することができ、この状態では、キャビネットの正面側から内部を見た場合に、電線６は隠れた状態となり、広いキャビネット内のスペースが確保されて、優れた意匠性が得られるものである。
なお、断面が円形の電線６，コードの場合においては、曲がり部Ｃ内に、大きなＲで曲げて収納させることができ、電線６，コードへの負担を小さくすることができるものとなる。
【００１２】
なお、本例では、電線６を隠すためにプラモール等の塩化ビニール材を使用しないために、環境に優しいものとなり、また、構成部材は緩衝部材５のみであり、底板２及び側板３には溝２ａ，３ａを加工するのみであるため、加工コストも少なく、また構成部材も少なくて、コストを低減させて良好にキャビネットの電線処理が行えるものとなる。
【００１３】
なお、本例では、背板なしのキャビネット１を、トイレ室の壁面に設置する場合を例示しているが、キッチンや、洗面室等の壁面に設置するキャビネット１においても、同様な電線処理が行えるものとなる。
また、背板なしのキャビネット１に限らず、背板を有するキャビネット１にも適用することができ、溝２ａ，３ａを、底板２及び側板３と、背板との当接する角部分に設けて、電線処理が行えるものとなる。さらに、溝２ａ，３ａは、底板２と、左右の側板３，３と、天板１ａの何れか、或いは、底板２と左右の側板３，３と天板１ａの全てに設けても良く、後端面の当接する角部分に限らず、キャビネット１の内面の何れの位置に設けても良い。
【図面の簡単な説明】
【００１４】
【図１】背板なしのキャビネットを、トイレ室の壁面に設置した斜視構成図である。
【図２】キャビネットを構成する底板と側板の後端面と壁面との間に電線を処理する前の斜視構成図である。
【図３】底板の後端部に設けた緩衝部材と壁面間の隙間内に電線を入れる作業説明図である。
【図４】電線を緩衝部材と壁面間に挟み込んで固定した状態の縦断面拡大構成図である。
【図５】先ず、電線を底板の後端面に嵌め込んで処理してゆく作業説明図である。
【図６】次に、側板の後端面に電線を嵌め込んでゆく作業説明図である。
【図７】電線の捩れ部を底板と側板の溝の曲がり部に押し込んで処理する作業説明図である。
【符号の説明】
【００１５】
１  キャビネット
２  底板
２ａ  溝
３  側板
３ａ  溝
４  壁面
５  緩衝部材
６  電線
６ａ  捩れ部
Ｃ  曲がり部
【図１】
2005198912.tif 000003
【図２】
2005198912.tif 000004
【図３】
2005198912.tif 000005
【図４】
2005198912.tif 000006
【図５】
2005198912.tif 000007
【図６】
2005198912.tif 000008
【図７】
2005198912.tif 000009